(57)【特許請求の範囲】
【請求項１】
装置本体に対し着脱可能な鍵ホルダと、
該鍵ホルダに設けられて鍵を連結する連結手段と、
該連結手段による前記鍵への連結状態を解除する解除手段と、
前記装置本体の使用の認証を行う認証手段と、
該認証手段の認証結果に基づいて前記解除手段へのアクセスを許諾する許諾手段と、
を備え、
前記連結手段は、前記鍵ホルダに対して回動可能であって切欠部を有するリング状の回動体と、前記解除手段が係合してスライドするロック体と、該ロック体を前記回動体の方向に向けて付勢する付勢体とで構成され、
前記回動体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となり、
前記ロック体は、前記解除手段が係合する係合部を複数有することを特徴とする鍵管理装置。
【請求項２】
装置本体に対し着脱可能な鍵ホルダと、
該鍵ホルダに設けられて鍵を連結する連結手段と、
該連結手段による前記鍵への連結状態を解除する解除手段と、
前記装置本体の使用の認証を行う認証手段と、
該認証手段の認証結果に基づいて前記解除手段へのアクセスを許諾する許諾手段と、
を備え、
前記連結手段は、前記鍵ホルダに対してスライド可能であって切欠部を有する鉤状のスライド体と、前記解除手段が係合してスライドするロック体と、該ロック体を前記スライド体の方向に向けて付勢する付勢体とで構成され、
前記スライド体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となり、
前記ロック体は、前記解除手段が係合する係合部を複数有することを特徴とする鍵管理装置。
【請求項３】
前記ロック体は、前記切欠部に係合した状態において前記鍵ホルダの内部に係止し前記解除手段が前記係合部に係合した際に前記鍵ホルダの内部への係止を解除する係止爪を備えたことを特徴とする請求項１または２記載の鍵管理装置。
【請求項４】
装置本体に対し着脱可能な鍵ホルダと、
該鍵ホルダに設けられて鍵を連結する連結手段と、
該連結手段による前記鍵への連結状態を解除する解除手段と、
前記装置本体の使用の認証を行う認証手段と、
該認証手段の認証結果に基づいて前記解除手段へのアクセスを許諾する許諾手段と、
前記認証手段で認証される認証情報毎に、前記解除手段で前記連結手段による前記鍵への連結状態を解除することができる前記鍵ホルダを記憶する手段と、
を備えたことを特徴とする鍵管理装置。
【請求項５】
装置本体に対し着脱可能な鍵ホルダと、
該鍵ホルダに設けられて鍵を連結する連結手段と、
該連結手段による前記鍵への連結状態を解除する解除手段と、
前記装置本体の使用の認証を行う認証手段と、
該認証手段の認証結果に基づいて前記解除手段へのアクセスを許諾する許諾手段と、
前記鍵ホルダ毎に前記連結手段で連結する鍵の用途情報を記憶する手段と、
を備えたことを特徴とする鍵管理装置。
【請求項６】
前記連結手段による前記連結状態を解除する対象の鍵ホルダが指定される指定手段と、
該指定手段に指定された鍵ホルダを案内する案内手段と、
該案内手段で案内した鍵ホルダが前記装置本体から取り外されるステップと、前記解除手段にアクセスされるステップと、当該取り外された鍵ホルダが前記装置本体に再装着されるステップとを確認する確認手段と、
を備えたことを特徴とする請求項４または５記載の鍵管理装置。
【請求項７】
前記鍵ホルダにはホルダ番号情報を記憶する記憶手段が備えられ、
前記解除手段には前記記憶手段に記憶された前記ホルダ番号情報を読み取る読取手段が備えられ、
前記確認手段は、前記読取手段が前記ホルダ番号情報を読み取るステップを併せて確認することを特徴とする請求項６記載の鍵管理装置。
【請求項８】
前記確認手段は、前記ステップの予め登録された所定の順序と、前記ステップの操作の際に進行した順序との一致確認を行い、当該一致確認結果についての報知を行う報知手段を備えたことを特徴とする請求項６または７記載の鍵管理装置。
【請求項９】
前記ステップの操作の際に進行した順序の前記確認手段による確認状況を履歴として残す履歴管理手段を備えたことを特徴とする請求項６乃至８の何れか一項記載の鍵管理装置。
【請求項１０】
前記連結手段は、前記鍵ホルダに対して回動可能であって切欠部を有するリング状の回動体と、前記解除手段が係合してスライドするロック体と、該ロック体を前記回動体の方向に向けて付勢する付勢体とで構成され、
前記回動体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となることを特徴とする請求項４乃至９の何れか一項記載の鍵管理装置。
【請求項１１】
前記連結手段は、前記鍵ホルダに対してスライド可能であって切欠部を有する鉤状のスライド体と、前記解除手段が係合してスライドするロック体と、該ロック体を前記スライド体の方向に向けて付勢する付勢体とで構成され、
前記スライド体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となることを特徴とする請求項４乃至９の何れか一項記載の鍵管理装置。
【請求項１２】
前記ロック体は、前記解除手段が係合する係合部を複数有することを特徴とする請求項１０または１１記載の鍵管理装置。
【請求項１３】
前記ロック体は、前記切欠部に係合した状態において前記鍵ホルダの内部に係止し前記解除手段が前記係合部に係合した際に前記鍵ホルダの内部への係止を解除する係止爪を備えたことを特徴とする請求項１２記載の鍵管理装置。
【請求項１４】
請求項１乃至１３の何れか一項記載の鍵管理装置と、
該鍵管理装置と通信可能であって前記許諾手段の機能を設定する許諾管理手段とを備えたことを特徴とする鍵管理システム。
【発明の詳細な説明】
【技術分野】
【０００１】
本発明は、鍵管理装置および鍵管理システムに関する。
【背景技術】
【０００２】
鍵ホルダに鍵を連結するにあたって、封緘具を用いることにより、封緘具を破壊しない限り鍵を鍵ホルダから抜き取ることができない構造となっている技術が知られている。つまり、この場合の封緘具は、鍵の鍵ホルダからの不正な抜き取りを防止するとともに、無理な抜き取りがあった場合には破壊の痕跡を示すことで不正行為等があったことを示唆する機能を担う（例えば、特許文献１参照）。
【先行技術文献】
【特許文献】
【０００３】
【特許文献１】特開２０１１−１７９１６４号公報
【発明の概要】
【発明が解決しようとする課題】
【０００４】
しかしながら、このように封緘具を用いるものであると、正規に、鍵ホルダへの新しい鍵の付け替えが必要になった際にも、封緘具を破壊して鍵ホルダから古い鍵を抜き取り、新しい封緘具を用意して鍵ホルダに新しい鍵を連結する必要がある。このため、その作業が煩雑なものになるとともに、古い封緘具の廃棄が必要になるという課題が存在する。
【０００５】
したがって、本発明は、鍵の鍵ホルダからの不正な抜き取りを防止することができ、その上で、鍵ホルダへの鍵の付け替え時には、付け替え作業の容易化および廃棄物の低減を図ることが可能となる鍵管理装置および鍵管理システムの提供を目的とする。
【課題を解決するための手段】
【０００６】
上記目的を達成するために、請求項１に係る発明は、装置本体に対し着脱可能な鍵ホルダと、該鍵ホルダに設けられて鍵を連結する連結手段と、該連結手段による前記鍵への連結状態を解除する解除手段と、前記装置本体の使用の認証を行う認証手段と、該認証手段の認証結果に基づいて前記解除手段へのアクセスを許諾する許諾手段と、を備え、前記連結手段は、前記鍵ホルダに対して回動可能であって切欠部を有するリング状の回動体と、前記解除手段が係合してスライドするロック体と、該ロック体を前記回動体の方向に向けて付勢する付勢体とで構成され、前記回動体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となり、前記ロック体は、前記解除手段が係合する係合部を複数有することを特徴とする。
請求項２に係る発明は、装置本体に対し着脱可能な鍵ホルダと、該鍵ホルダに設けられて鍵を連結する連結手段と、該連結手段による前記鍵への連結状態を解除する解除手段と、前記装置本体の使用の認証を行う認証手段と、該認証手段の認証結果に基づいて前記解除手段へのアクセスを許諾する許諾手段と、を備え、前記連結手段は、前記鍵ホルダに対してスライド可能であって切欠部を有する鉤状のスライド体と、前記解除手段が係合してスライドするロック体と、該ロック体を前記スライド体の方向に向けて付勢する付勢体とで構成され、前記スライド体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となり、前記ロック体は、前記解除手段が係合する係合部を複数有することを特徴とする。
請求項３に係る発明は、請求項１または２に係る発明において、前記ロック体は、前記切欠部に係合した状態において前記鍵ホルダの内部に係止し前記解除手段が前記係合部に係合した際に前記鍵ホルダの内部への係止を解除する係止爪を備えたことを特徴とする。
請求項４に係る発明は、装置本体に対し着脱可能な鍵ホルダと、該鍵ホルダに設けられて鍵を連結する連結手段と、該連結手段による前記鍵への連結状態を解除する解除手段と、前記装置本体の使用の認証を行う認証手段と、該認証手段の認証結果に基づいて前記解除手段へのアクセスを許諾する許諾手段と、前記認証手段で認証される認証情報毎に、前記解除手段で前記連結手段による前記鍵への連結状態を解除することができる前記鍵ホルダを記憶する手段と、を備えたことを特徴とする。
請求項５に係る発明は、装置本体に対し着脱可能な鍵ホルダと、該鍵ホルダに設けられて鍵を連結する連結手段と、該連結手段による前記鍵への連結状態を解除する解除手段と、前記装置本体の使用の認証を行う認証手段と、該認証手段の認証結果に基づいて前記解除手段へのアクセスを許諾する許諾手段と、前記鍵ホルダ毎に前記連結手段で連結する鍵の用途情報を記憶する手段と、を備えたことを特徴とする。
【０００７】
請求項６に係る発明は、請求項４または５に係る発明において、前記連結手段による前記連結状態を解除する対象の鍵ホルダが指定される指定手段と、該指定手段に指定された鍵ホルダを案内する案内手段と、該案内手段で案内した鍵ホルダが前記装置本体から取り外されるステップと、前記解除手段にアクセスされるステップと、当該取り外された鍵ホルダが前記装置本体に再装着されるステップとを確認する確認手段と、を備えたことを特徴とする。
【０００８】
請求項７に係る発明は、請求項６に係る発明において、前記鍵ホルダにはホルダ番号情報を記憶する記憶手段が備えられ、前記解除手段には前記記憶手段に記憶された前記ホルダ番号情報を読み取る読取手段が備えられ、前記確認手段は、前記読取手段が前記ホルダ番号情報を読み取るステップを併せて確認することを特徴とする。
【０００９】
請求項８に係る発明は、請求項６または７に係る発明において、前記確認手段は、前記ステップの予め登録された所定の順序と、前記ステップの操作の際に進行した順序との一致確認を行い、当該一致確認結果についての報知を行う報知手段を備えたことを特徴とする。
【００１０】
請求項９に係る発明は、請求項６乃至８の何れか一項に係る発明において、前記ステップの操作の際に進行した順序の前記確認手段による確認状況を履歴として残す履歴管理手段を備えたことを特徴とする。
【００１１】
請求項１０に係る発明は、請求項４乃至９の何れか一項に係る発明において、前記連結手段は、前記鍵ホルダに対して回動可能であって切欠部を有するリング状の回動体と、前記解除手段が係合してスライドするロック体と、該ロック体を前記回動体の方向に向けて付勢する付勢体とで構成され、前記回動体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となることを特徴とする。
【００１２】
請求項１１に係る発明は、請求項４乃至９の何れか一項に係る発明において、前記連結手段は、前記鍵ホルダに対してスライド可能であって切欠部を有する鉤状のスライド体と、前記解除手段が係合してスライドするロック体と、該ロック体を前記スライド体の方向に向けて付勢する付勢体とで構成され、前記スライド体の前記切欠部は、前記連結手段が前記連結状態にあるとき前記鍵ホルダの内部に位置して前記ロック体に係合し、前記連結手段による前記連結状態の解除時に前記ロック体との係合が解除されて前記鍵ホルダの外部に位置可能となることを特徴とする。
【００１３】
請求項１２に係る発明は、請求項１０または１１に係る発明において、前記ロック体は、前記解除手段が係合する係合部を複数有することを特徴とする。
【００１４】
請求項１３に係る発明は、請求項１２に係る発明において、前記ロック体は、前記切欠部に係合した状態において前記鍵ホルダの内部に係止し前記解除手段が前記係合部に係合した際に前記鍵ホルダの内部への係止を解除する係止爪を備えたことを特徴とする。
【００１５】
請求項１４に係る発明は、請求項１乃至１３の何れか一項に係る発明において、前記許諾手段の機能を設定する許諾管理手段を備えたことを特徴とする。
【発明の効果】
【００１６】
請求項１，２，４，５のいずれか一項に係る発明によれば、鍵ホルダへの鍵への付け替え時等には、認証手段の認証結果に基づいて許諾手段が解除手段へのアクセスを許諾すると、解除手段によって、鍵ホルダの連結手段による鍵への連結状態を解除可能となり、この状態で鍵ホルダの鍵が付け替えられることになる。このように、解除手段へのアクセスに認証手段の認証が必要であるため、鍵の鍵ホルダからの不正な抜き取りを防止することができる。また、認証手段の認証結果に基づいて許諾手段が解除手段へのアクセスを許諾すれば、解除手段によって連結手段の連結状態を解除可能となるため、部材の破壊等を不要にできる。よって、鍵の付け替え作業の容易化および廃棄物の低減が可能となる。
【００１７】
請求項６に係る発明によれば、連結手段による連結状態を解除する対象の鍵ホルダが指定手段によって指定されると、案内手段が、指定手段に指定された鍵ホルダを案内することになる。その後、確認手段が、案内手段で案内した鍵ホルダが装置本体から取り外されるステップと、解除手段にアクセスされるステップと、取り外された鍵ホルダが装置本体に再装着されるステップとを確認する。よって、鍵ホルダの連結状態を解除する操作について、より厳密な管理が可能になる。
【００１８】
請求項７に係る発明によれば、確認手段は、解除手段に設けられた読取手段が、鍵ホルダのホルダ番号情報を読み取るステップを併せて確認するため、何れの鍵ホルダの連結解除を行うかのホルダ番号情報も、解除手段によって解除を行う際に、確認手段によって確認されるので、より厳密な管理が可能になる。
【００１９】
請求項８に係る発明によれば、確認手段が各ステップの予め登録された所定の順序と各ステップの操作の際に進行した順序との一致確認を行い、報知手段がこの一致確認結果についての報知を行うことになるため、操作手順の間違いを報知することができる。
【００２０】
請求項９に係る発明によれば、履歴管理手段が、ステップの操作の際に進行した順序の確認手段による確認状況を履歴として残すため、連結手段の解除に係るセキュリティをさらに高める効果がある。
【００２１】
請求項１または１０に係る発明によれば、回動体は、切欠部が鍵ホルダの内部に位置してロック体に係合すると、鍵ホルダとで鍵を取り外し不可に保持することになり、ロック体が解除手段に係合してスライドさせられると、切欠部がロック体との係合が解除されて鍵ホルダの外部に位置可能となって鍵の付け替えが可能となる。これにより、連結手段の構造が簡素になるとともに、連結および解除が容易となる。
【００２２】
請求項２または１１に係る発明によれば、スライド体は、切欠部が鍵ホルダの内部に位置してロック体に係合すると、鍵ホルダとで鍵を取り外し不可に保持することになり、ロック体が解除手段に係合してスライドさせられると、切欠部がロック体との係合が解除されて鍵ホルダの外部に位置可能となって鍵の付け替えが可能となる。これにより、連結手段の構造が簡素になるとともに、連結および解除が容易となる。
【００２３】
請求項１，２，１２のいずれか一項に係る発明によれば、ロック体に、解除手段が係合する係合部を複数有するため、解除手段の構造を複雑化でき、解除手段以外でのロック解除を良好に規制できる。
【００２４】
請求項３または１３に係る発明によれば、ロック体に、切欠部に係合した状態において鍵ホルダの内部に係止する係止爪を設けたため、ロック体が切欠部に係合した状態を強固に維持できるとともに、ロック体と鍵ホルダの内部との係合も強固に維持できる。
【００２５】
請求項１４に係る発明によれば、許諾管理手段によって許諾手段の機能を設定することができるため、例えば誰であっても交換後一定期間は鍵の交換をできなくしたり、あるいは特定の権限を付与された複数の担当者の中から一部のみが、交換後一定期間であっても鍵の交換を可能に選択したり等、顧客の運用形態に合わせた設定が可能となる。
【図面の簡単な説明】
【００２６】
【図１】本発明に係る第１実施形態の鍵管理装置を示す斜視図である。
【図２】本発明に係る第１実施形態の鍵管理装置の装置本体を示す制御系ブロック図である。
【図３】本発明に係る第１実施形態の鍵管理装置の鍵ホルダを示す斜視図である。
【図４】本発明に係る第１実施形態の鍵管理装置の鍵ホルダおよび鍵を示す断面図である。
【図５】本発明に係る第１実施形態の鍵管理装置の鍵ホルダおよび鍵を示す付け替えの手順を示す断面図である。
【図６】本発明に係る第１実施形態の鍵管理装置の解除具を示す斜視図である。
【図７】本発明に係る第１実施形態の鍵管理装置における記憶部の記憶例である。
【図８】本発明に係る第１実施形態の鍵管理装置における、（ａ）は持出状況データを、（ｂ）は付替状況データの各例を示すものである。
【図９】本発明に係る第１実施形態の鍵管理装置におけるログ出力データの例である。
【図１０】本発明に係る第１実施形態の鍵管理装置の鍵ホルダの変形例および鍵を示す断面図である。
【図１１】本発明に係る第２実施形態の鍵管理装置の鍵ホルダおよび鍵を示す断面図である。
【発明を実施するための形態】
【００２７】
本発明に係る鍵管理装置の第１実施形態を図１〜図１０を参照して以下に説明する。
【００２８】
第１実施形態の鍵管理装置１は、銀行等の金融機関の店舗で使用されるもので、図１に示すように、鍵１０と、一対一で鍵１０を保持する鍵ホルダ１１と、鍵ホルダ１１を整列状態で着脱可能に保持する装置本体１２とを有するものである。
【００２９】
装置本体１２は、装置主体部１４と、この装置主体部１４の上下方向中間部から下部に設けられた開閉部１５を覆う開閉可能なカバー１６とを有している。カバー１６は、装置主体部１４の側縁部に設けられたヒンジ１７を介して一端側が装置主体部１４に回動可能に連結されており、他端側の内面には、係合突起部１８および検出突起部１９が固定されている。
【００３０】
装置主体部１４には、カバー１６で閉塞されない上部に、担当者による暗証番号等の入力操作や文字の入力操作がなされる複数の操作キー２１ａを有する操作部（認証手段）２１と、日時、操作状況、アラーム情報およびガイダンス等を表示する液晶ディスプレイからなる表示部（報知手段）２２と、ＩＤカード２３が走査されると、このＩＤカード２３からデータを読み取るカードリーダ（認証手段）２４と、必要な情報を紙面に印字して鍵管理装置本体上面の排紙口２５ａから排紙するプリンタ部２５と、報知音を発生させるブザー（報知手段）２６とが設けられている。なお、ＩＤカード２３は、ＩＣチップを有する電子カードや磁気カード等からなるもので、鍵管理装置１の使用が許可されたすべての担当者にそれぞれ個別に準備されて他との識別のための個別の担当者識別番号等が記憶されている。また、操作部２１は、数字のほかに、アルファベット、ひらがなおよびカタカナのうちの少なくとも一種類の入力が可能となっている。必要により漢字変換を可能としても良い。
【００３１】
装置主体部１４には、カバー１６で閉塞されない側部に、主電源のオン・オフ操作が入力される電源スイッチ２７と、外部電源用の電源ケーブルが接続される接続部２８とが設けられている。
【００３２】
装置主体部１４には、カバー１６で閉塞される開閉部１５に、それぞれが一対一で対応する鍵ホルダ１１を取り外し不可となるようにロック状態で保持する多数の鍵保持部３１が整列状態で設けられている。また、開閉部１５には、カバー１６の閉時に係合突起部１８が挿入される係合挿入穴３２と、カバー１６の閉時に検出突起部１９が挿入される検出挿入穴３３とが設けられている。さらに、開閉部１５には、収納部３４が設けられている。
【００３３】
係合挿入穴３２の内側には、係合挿入穴３２に挿入された係合突起部１８をロックおよびロック解除する電磁駆動式の図２に示すカバーロック機構３５が設けられており、検出挿入穴３３の内側には、検出挿入穴３３に挿入された検出突起部１９の挿入・非挿入を検出することでカバー１６が閉状態にあるか否かを検出する図２に示す閉検出センサ３７が設けられている。カバーロック機構３５は、カバー１６が閉じられることで検出突起部１９の挿入を閉検出センサ３７が検出したことを条件に、係合突起部１８を係合挿入穴３２内でロックする。
【００３４】
鍵管理装置１は、装置主体部１４の上部に設けられた取っ手３８を介して持ち運び可能となっており、また背面に設けられた折り畳み収納式のスタンド３９を用いることで机上等に傾斜状態で立設可能となっている。
【００３５】
鍵ホルダ１１には、一対一で保持する鍵１０を他の鍵１０と識別するための個別の鍵識別番号（ホルダ番号情報）が記憶された図３に示すＩＣタグ（記憶手段）４３が埋設されている。さらに、鍵ホルダ１１は、ＩＣタグ４３に記憶されたものと同じ個別の鍵識別番号が視認可能に表記された鍵識別表記部４４を有している。図１に示す鍵１０は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。
【００３６】
複数の鍵保持部３１は、それぞれ、鍵ホルダ１１が挿入される個別のキーホルダ装着穴４５と、キーホルダ装着穴４５に鍵ホルダ１１が挿入されるとこれをロックしてロック状態で保持し、かつロック解除可能な個別の電磁駆動式の図２に示す鍵ロック機構４６とを有している。
【００３７】
また、鍵保持部３１は、それぞれが、同じ鍵保持部３１を構成する鍵ロック機構４６のロックを解除する際に押圧される操作ボタンであって点灯および点滅することで操作を案内可能な表示ランプ（案内手段）５０が一体に設けられた操作ボタン（指定手段）５１と、装着された図３に示す鍵ホルダ１１のＩＣタグ４３と通信可能であって通信状態から非通信状態への切り替えで鍵１０の持ち出しを検出し非通信状態から通信状態への切り替えで鍵１０の返却を検出する図２に示すＩＣタグリーダ５２とを有している。すべての鍵保持部３１には、他の鍵保持部３１と識別するための例えば「００１」〜「０３０」のような個別の保持部識別番号が割り振られており、キーホルダ装着穴４５の上側には、保持部識別番号が視認用に記載される保持部識別表記部５３が設けられている。なお、ここでは、鍵ホルダ１１に対して割り当てられた鍵識別番号と、鍵保持部３１に対して割り当てられた保持部識別番号とを共通の番号としている。以下の説明では、この共通の識別番号を鍵・保持部識別番号（ホルダ番号情報）とする。
【００３８】
図４に示すように、鍵１０は貫通孔６０を有しており、鍵ホルダ１１には、この貫通孔６０に挿通されることで鍵１０を連結する連結機構（連結手段）６１が設けられている。連結機構６１は、鍵ホルダ１１に回動可能に設けられて鍵１０の貫通孔６０に挿通されるリング状のキーコードリング（回動体）６２と、キーコードリング６２に対し係脱可能となるように鍵ホルダ１１内にスライド可能に設けられたロック体６３と、ロック体６３をキーコードリング６２と係合する方向に付勢する付勢バネ（付勢体）６４とを有している。
【００３９】
鍵ホルダ１１の内部には、その長さ方向に沿って延在する収容空間６８が形成されている。また、鍵ホルダ１１には、収容空間６８の延在方向の一端側を上下両側に開口させる円弧状の挿入穴６９が形成されており、また、収容空間６８の延在方向の同じく一端側を側方に開口させる複数具体的には二カ所のスリット７０が上下に並んで形成されている。複数のスリット７０は、いずれも鍵ホルダ１１の長さ方向に沿って延在する形状をなしており、この長さ方向における位置を互いに合わせている。
【００４０】
キーコードリング６２は、鍵ホルダ１１に対して回動可能となるように円弧状の挿入穴６９に挿入されている。キーコードリング６２は、円周方向にその一部を分断する切欠部７２を有するＣ字状をなしている。切欠部７２の円周方向の間隔は、切欠部７２を介して鍵１０の取り付けおよび取り外しが可能な幅であり、鍵ホルダ１１の高さよりも狭く、これによりキーコードリング６２の鍵ホルダ１１からの脱落が規制されるようになっている。
【００４１】
ロック体６３は、図４および図５に示すように、鍵ホルダ１１の収容空間６８内にスライド可能に収容されている。収容空間６８の延在方向の他端側とロック体６３との間に付勢バネ６４が収容されており、付勢バネ６４は、ロック体６３をキーコードリング６２の方向に向けて付勢する。ロック体６３は、キーコードリング６２の切欠部７２が収容空間６８と位置を合わせている状態では、付勢バネ６４の付勢力で切欠部７２を横切って収容空間６８の一端の当接面７５に当接する。この状態で、キーコードリング６２はロック体６３に係合することになり、ロック体６３で回転が規制されることになる。このロック状態では、切欠部７２が鍵ホルダ１１の内部に位置して鍵ホルダ１１から外部に露出することはない。つまり、キーコードリング６２の切欠部７２は、図４に示すように連結機構６１が鍵１０を連結する連結状態にあるとき、鍵ホルダ１１の内部に位置してロック体６３に係合する。
【００４２】
他方、ロック体６３が、図５（ａ），（ｂ）に示すように付勢バネ６４の付勢力に抗して移動して当接面７５から所定距離離間すると、ロック体６３は、切欠部７２から逃げることになる。この状態では、キーコードリング６２はロック体６３に対する係合が解除されることになり、ロック体６３で回転が規制されることはない。よって、このロック解除状態では、図５（ｂ）に示すようにキーコードリング６２が回動させられることで切欠部７２の全部が鍵ホルダ１１の外部に位置して鍵ホルダ１１から外部に露出することになる。つまり、キーコードリング６２の切欠部７２は、連結機構６１が鍵１０を連結する連結状態の解除時に、ロック体６３との係合が解除されて鍵ホルダ１１の外部に位置可能となる。
【００４３】
ロック体６３には、図５（ｃ）に示すように鍵ホルダ１１の複数のスリット７０に連通可能なこれらスリット７０よりも長さが短い複数具体的には二カ所の溝部（係合部）７８が形成されている。これら溝部７８は、ロック体６３が図５（ｃ）に示すようにロック状態にあるとき、それぞれの当接面７５側の端部が鍵ホルダ１１のスリット７０の当接面７５側の端部と位置を一致させる。
【００４４】
図１に示す装置本体１２の収納部３４には、図４に示す連結機構６１による鍵１０への連結状態を解除する図６に示す解除具（解除手段）８１が収納されている。この解除具８１は、基板部８２と、基板部８２の長さ方向の端部から基板部８２とは垂直をなすように突出する複数具体的には二カ所の延出部８３と、これら延出部８３のそれぞれの基板部８２とは反対側の端部から基板部８２と平行に延出する複数具体的には二カ所の押圧部８４とを有している。繋がる延出部８３および押圧部８４は、Ｌ字状の係合爪８５を構成しており、解除具８１には、係合爪８５が二カ所形成されている。
【００４５】
この解除具８１は、二カ所の延出部８３が図４に示す当接面７５側に位置する姿勢で、二カ所の係合爪８５の押圧部８４が、ロック状態にあるロック体６３の二カ所の溝部７８に鍵ホルダ１１の二カ所のスリット７０を介して挿入されて係合する。この状態で基板部８２が鍵ホルダ１１の側面に当接する。そして、鍵ホルダ１１の側面上で基板部８２を、図５（ａ）に示すようにスライドさせると、二カ所の係合爪８５の押圧部８４が延出部８３とは反対側の端部で二カ所の溝部７８の当接面７５とは反対側の端部に当接し、これら溝部７８つまりロック体６３を付勢バネ６４の付勢力に抗してロック解除方向にスライドさせることになる。二カ所の延出部８３がスリット７０の当接面７５とは反対側の端部に当接すると、それ以上の解除具８１の当接面７５とは反対側へのスライドが規制される。
【００４６】
この状態では、ロック体６３がロック解除状態になり、キーコードリング６２が回動可能となって切欠部７２が図５（ｂ）に示すように外部に露出可能となり、鍵１０への連結状態を解除可能となる。なお、溝部７８は、それぞれの当接面７５とは反対側の端部が鍵ホルダ１１のスリット７０の当接面７５とは反対側の端部と位置を一致させた状態では、ロック体６３をロック解除状態にすることはなく、ロック体６３が切欠部７２に入り込んだ状態が維持されることになる。つまり、解除具８１以外の例えばマイナスドライバによって溝部７８をスライドさせると、溝部７８は全体がスリット７０の範囲内で移動するのみであり、このように移動させられてもロック体６３が切欠部７２に入り込んだ状態が維持され、キーコードリング６２の切欠部７２が露出することはない。
【００４７】
図６に示すように、解除具８１の基板部８２には、ＩＣタグリーダ（読取手段）８７が設けられており、このＩＣタグリーダ８７は通信線８８に繋がれ、この通信線８８は図１に示す装置本体１２の収納部３４内に繋がれている。ＩＣタグリーダ８７は、図４に示す溝部７８に図６に示す押圧部８４を挿入した状態で、図３に示す鍵ホルダ１１のＩＣタグ４３と通信可能でありＩＣタグ４３に記憶された鍵・保持部識別番号を読み取る。図６に示す通信線８８は解除具８１とともに図１に示す収納部３４に収納される。収納部３４には開閉扉９０が設けられている。装置本体１２には、開閉扉９０を閉状態でロックおよびロック解除する電磁駆動式の図２に示す扉ロック機構９１と、開閉扉９０が閉状態にあるか否かを検出する閉検出センサ９２と、扉ロック機構９１のロックを解除する際に押圧されるものであって点灯および点滅可能な表示ランプ９３が一体に設けられた操作ボタン９４と、が設けられている。
【００４８】
装置本体１２は、上記各部を制御する制御部（認証手段，許諾手段，確認手段，報知手段，履歴管理手段）５５と、制御部５５とデータのやり取りが可能なＲＡＭやＨＤＤ等からなる記憶部（履歴管理手段）５６とを有している。
【００４９】
記憶部５６には、鍵管理装置１を使用可能な担当者識別番号および使用時に入力される暗証番号が記憶されており、また、それぞれの担当者識別番号について、モード切替（後述）の許可の有無および使用可能な鍵１０およびこれを保持する鍵保持部３１の鍵・保持部識別番号が関連付けされて記憶されている。つまり、担当者の職務範囲や権限に応じてモード切替の許可の有無が決められるため、担当者毎にモード切替の許可の有無が記憶されている。また、担当者の職務範囲や権限に応じて使用可能な鍵１０が異なるため、担当者毎に鍵１０の持ち出しが可能な鍵保持部３１が決められており、この関係が記憶されている。さらに、担当者の職務範囲や権限に応じて、鍵１０の付け替えを行うことができる鍵ホルダ１１が決められており、この関係が記憶されている。
【００５０】
記憶部５６には、各鍵保持部３１の鍵・保持部識別番号に一対一で対応して、保持する鍵１０の用途情報（目的、適用箇所）が関連付けされて記憶されている。つまり、各鍵保持部３１には保持する鍵１０が一対一で決められており、鍵１０にはそれぞれ、金庫の扉開閉用、現金処理機の扉開閉用、現金処理機の現金収納庫の扉開閉用、現金処理機の回収庫の扉開閉用、現金処理機の主電源のオン・オフ切換用等の用途（目的、使用する場所）が決められているため、複数の鍵保持部３１それぞれについての、個別の保持部識別情報と、保持する鍵１０の用途情報とが関連付けされて記憶されている。例えば、記憶部５６には、図７に一例を示すように、鍵・保持部識別番号の「００１」とその用途情報としての「キンコ  トビラ」とが関連付けされて記憶されており、鍵・保持部識別番号の「００２」とその用途情報としての「ＡＴＭ１ゴウキ  トビラ」とが関連付けされて記憶されており、鍵・保持部識別番号の「００３」とその用途情報としての「ＡＴＭ１ゴウキ  シュウノウコＡ  カギ」とが関連付けされて記憶されており、鍵・保持部識別番号の「００４」とその用途情報としての「ＡＴＭ１ゴウキ  カイシュウコ  カギ」とが関連付けされて記憶されている。
【００５１】
鍵管理装置１は、持出・返却モード、交換モード、新規登録モード、およびログ出力モードでの使用が可能となっており、これらのモードの切り替えは、モード切替の許可有の担当者識別番号をＩＤカード２３から読み取った場合にのみ可能となる。モード切替の許可無の担当者識別番号をＩＤカード２３から読み取った場合、制御部５５は、以下の持出・返却モードを自動的に選択し、モード切替の許可有の担当者識別番号をＩＤカード２３から読み取った場合、表示部２２へモード選択画面を表示させる。この表示は、例えば「１．持出・返却モード  ２．交換モード  ３．新規登録モード  ４．ログ出力モード」といった表示となり、この場合、操作者は、操作部２１の操作キー２１ａの数字入力でモードを選択する。制御部５５は、選択されたモードを実行する。
【００５２】
「持出・返却モード」
持出・返却モードについて説明する。カードリーダ２４にＩＤカード２３が走査された後、持出・返却モードが選択され、鍵１０の管理許可のために設定された暗証番号が操作部２１に入力される。すると、制御部５５は、カードリーダ２４で読み取ったＩＤカード２３の担当者識別番号および操作部２１に入力された暗証番号を記憶部５６に記憶されたデータと照合することで担当者識別番号および暗証番号が持出・返却モードを実行するにあたって適正であるか否かを判定する。適正である場合に、制御部５５は、カバーロック機構３５を駆動してカバー１６のロックを解除するとともに、この担当者識別番号に対して設定された鍵・保持部識別番号を有する鍵保持部３１をロック解除可能とするべく対応するすべての操作ボタン５１の表示ランプ５０を点滅させる。このように、操作部２１、カードリーダ２４および制御部５５が、装置本体１２の使用の認証を行う。なお、担当者識別番号および暗証番号が適正である場合に、すべての鍵保持部３１をロック解除可能とする設定としても良い。
【００５３】
担当者は、ロックが解除されたカバー１６を開き、表示ランプ５０が点滅している鍵保持部３１の中から所望の鍵１０の付いた鍵ホルダ１１が保持された鍵保持部３１の操作ボタン５１を、保持部識別表記部５３に表記された鍵・保持部識別番号の識別を視認して押すことになる（一つでも良いし複数でも良い）。つまり、複数の鍵保持部３１のそれぞれに設けられた操作ボタン５１は、持出・返却モードが設定されている場合に、複数の鍵保持部３１の中からいずれかを選択する選択指定を受け付ける。なお、各鍵保持部３１にそれぞれ設けられた保持部識別表記部５３を液晶素子とし、それぞれに対応する鍵・保持部識別番号と用途情報とを表示させるようにしても良い。
【００５４】
そして、この表示ランプ５０が点滅した、選択指定の受け付け可能な操作ボタン５１の中から所望のものが担当者によって押圧操作されると、制御部５５は、この表示ランプ５０を点灯させるとともに、この操作ボタン５１が設けられた鍵保持部３１の鍵ロック機構４６を駆動しロックを解除して、鍵１０の付いた鍵ホルダ１１を取り外し可能とする。つまり、操作ボタン５１が鍵保持部３１の選択指定を受け付けると、制御部５５は鍵ロック機構４６でこの選択指定された鍵保持部３１のロックを解除する。このように鍵保持部３１のロック状態が解除され、表示ランプ５０の点灯で持ち出し可能となったことが案内されている鍵保持部３１から、担当者が鍵１０の付いた鍵ホルダ１１を持ち出すことになる。なお、操作部２１への鍵・保持部識別番号の入力でも、制御部５５が、選択指定された鍵保持部３１を認識して、その鍵ロック機構４６を駆動しロックを解除するとともにその表示ランプ５０を点滅から点灯に切り替えるようになっている。
【００５５】
すると、制御部５５は、この鍵保持部３１のＩＣタグリーダ５２が、鍵ホルダ１１のＩＣタグ４３と通信不可となることでその持ち出しを検出する。制御部５５は、持ち出しが検出された表示ランプ５０を点滅状態に戻すとともに、この鍵ホルダ１１の持ち出しに際して読み取ったＩＤカード２３の担当者識別番号と、操作ボタン５１が押圧された鍵保持部３１の鍵・保持部識別番号と、操作ボタン５１が押された鍵保持部３１からの鍵ホルダ１１つまり鍵１０の持出時刻と、返却時刻（この時点では未返却であるためデータは空欄とされる）とを含む図８（ａ）に示すような持出状況データを記憶部５６に記憶させる。
【００５６】
図８（ａ）に示す持出状況データの一例においては、「００１」の鍵・保持部識別番号の鍵保持部３１から鍵１０の付いた鍵ホルダ１１を、「７７７」の担当者識別番号の担当者が、「１０：１０」の持出時刻で持ち出し、「１０：２０」の返却時刻で返却したことを表している。つまり、制御部５５は、ＩＣタグリーダ５２の検出結果である持出時刻および返却時刻を、ＩＣタグリーダ５２の検出対象であるＩＣタグ４３に記憶された鍵・保持部識別番号と関連付けて記憶部５６に記憶させる。なお、当然のことながら、表示ランプ５０が点滅した以外の操作ボタン５１が操作されても、制御部５５は、この操作ボタン５１が設けられた鍵保持部３１のロック状態を解除することはない。
【００５７】
そして、制御部５５は、鍵１０の付いた鍵ホルダ１１が持ち出されるたびに、記憶部５６に、上記した持出状況データを、持ち出し時間順に時系列的に並べて記憶させ、記憶用ログデータを作成する。
【００５８】
鍵１０の付いた鍵ホルダ１１の取り出し後（後述する返却後も同様）、担当者はカバー１６を閉じることになる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、制御部５５は、カバーロック機構３５でカバー１６を閉状態にロックする。なお、検出突起部１９を閉検出センサ３７が検出した状態で、操作部２１にロック操作が入力されると、カバーロック機構３５がカバー１６を閉状態でロックするようにしても良い。
【００５９】
次に、返却時について説明する。担当者は、ロックが解除されたカバー１６を開き、表示ランプ５０が点滅している鍵保持部３１の中から、鍵１０の付いた鍵ホルダ１１の鍵識別表記部４４に表記された鍵・保持部識別番号と同じ鍵・保持部識別番号が表記された保持部識別表記部５３を有する鍵保持部３１のキーホルダ装着穴４５に、鍵ホルダ１１を挿入する（一つでも良いし複数でも良い）。すると、制御部５５は、ＩＣタグリーダ５２でこの鍵ホルダ１１のＩＣタグ４３から鍵・保持部識別番号を読み出し、この鍵・保持部識別番号がこの鍵保持部３１の鍵・保持部識別番号に一致しているか否かを確認する。これらの鍵・保持部識別番号が一致している場合のみ、鍵１０の付いた鍵ホルダ１１の返却を検出して、鍵ロック機構４６でこの鍵ホルダ１１をロック状態とする。それとともに、制御部５５は、記憶部５６に記憶されているこの鍵・保持部識別番号を有する最新の持出状況データの返却時刻に、この鍵１０の付いた鍵ホルダ１１を検出した時刻を書き込む。
【００６０】
他方、制御部５５は、鍵保持部３１および鍵１０の鍵・保持部識別番号が一致しない場合に鍵ロック機構４６による鍵ホルダ１１のロックをせず、この鍵保持部３１の操作ボタン５１の表示ランプ５０を点灯させ、ブザー２６による報知音および表示部２２へのアラーム表示（正しい操作を誘導する表示を含む）等を発生させる。
【００６１】
「交換モード」
交換モードについて説明する。カードリーダ２４にＩＤカード２３が走査された後、交換モードが選択され、鍵１０の管理許可のために設定された暗証番号が操作部２１に入力される。すると、制御部５５は、カードリーダ２４で読み取ったＩＤカード２３の担当者識別番号および操作部２１に入力された暗証番号を記憶部５６に記憶されたデータと照合することで担当者識別番号および暗証番号が交換モードを実行するにあたって適正であるか否かを判定する。適正である場合、つまり交換モードを実行する特定の権限を付与された担当者識別番号および暗証番号が入力された場合、制御部５５は、カバーロック機構３５を駆動してカバー１６のロックを解除するとともに、表示部２２に、交換する鍵保持部３１の選択操作を促す画面を表示させるとともに、入力された担当者識別番号に対して登録済みで交換可能の鍵・保持部識別番号を有する鍵保持部３１に対して設けられた操作ボタン５１の表示ランプ５０を点滅させる。担当者は、カバー１６を開き、表示ランプ５０が点滅している操作ボタン５１の中から、交換する所望の鍵保持部３１の操作ボタン５１を押す（一つでも良いし複数でも良い）。
【００６２】
すると、制御部５５は、操作ボタン５１が押された鍵保持部３１の鍵・保持部識別番号が選択指定されたことを認識することになり、この操作ボタン５１が設けられた鍵保持部３１の鍵ロック機構４６を駆動しロックを解除して、鍵ホルダ１１を取り外し可能とするとともに、この状態を案内するべく、この操作ボタン５１の表示ランプ５０を点滅から点灯に切り替える。このように鍵保持部３１のロック状態が解除されることにより担当者が鍵保持部３１から鍵ホルダ１１を取り外すことになる。なお、操作部２１への鍵・保持部識別番号の入力でも、制御部５５が、選択指定された鍵保持部３１を認識して、その鍵ロック機構４６を駆動しロックを解除するとともに表示ランプ５０を点滅から点灯に切り替えるようになっている。操作ボタン５１あるいは操作部２１で指定された鍵保持部３１に保持された鍵ホルダ１１は、後述するように連結機構６１による鍵１０の連結状態を解除する対象であり、操作ボタン５１の表示ランプ５０は、点滅から点灯に切り替わることで、指定された鍵ホルダ１１を案内する。
【００６３】
鍵保持部３１から鍵ホルダ１１が取り外されると、制御部５５は、この鍵保持部３１のＩＣタグリーダ５２が、鍵ホルダ１１のＩＣタグ４３と通信不可となることでその取り外しを検出する。すると、制御部５５は、この鍵ホルダ１１の取り外しに際して読み取ったＩＤカード２３の担当者識別番号と、操作ボタン５１が押圧された鍵保持部３１の鍵・保持部識別番号と、操作ボタン５１が押された鍵保持部３１からの鍵ホルダ１１の取外時刻と、この鍵ホルダ１１の鍵１０の付替時刻（この時点では付け替え前であるためデータは空欄とされる）と、操作ボタン５１が押された鍵保持部３１への再取付時刻（この時点では再取り付け前であるためデータは空欄とされる）と、を含む付替状況データを記憶部５６に記憶させる。また、この付替状況データには、解除具８１が収納部３４から取り出された解除具取出時刻（この時点では取り出し前であるためデータは空欄とされる）と、解除具８１が収納部３４に収納された解除具収納時刻（この時点では取り出し前であるためデータは空欄とされる）とが含まれる。
【００６４】
図８（ｂ）に示す付替状況データの一例においては、「０２１」の鍵・保持部識別番号の鍵保持部３１から鍵ホルダ１１を、「７１１」の担当者識別番号の担当者が、「１３：１５」の取外時刻で取り外し、「１３：１７」の付替時刻で鍵１０を付け替え、「１３：１８」の時刻で再取り付けを誤り、「１３：１９」の再取付時刻で適正に取り付けたこと、および、「０００」の識別番号の収納部３４に対し、解除具８１を、「７１１」の担当者識別番号の担当者が、「１３：１６」の解除具取出時刻で取り出し、「１３：２０」の解除具収納時刻で収納したことを表している。つまり、制御部５５は、ＩＣタグリーダ５２の検出結果である取外時刻および再取付時刻と、ＩＣタグリーダ８７の検出結果である付替時刻とを鍵・保持部識別番号と関連付けて記憶部５６に記憶させる。
【００６５】
そして、制御部５５は、鍵１０の付け替えが行われるたびに、記憶部５６に、上記した付替状況データを、時系列的に並べて記憶させ、記憶用ログデータを作成する。
【００６６】
次に、制御部５５は、表示部２２に、鍵ホルダ１１が取り外された鍵保持部３１の交換後の鍵１０の用途情報の入力を促す画面を表示させ、用途情報の入力を受け付ける状態となる。担当者は、操作部２１の操作キー２１ａを用いたカナ入力および英字入力等で用途情報を入力し直す。例えば、図７に一例を示すように、鍵・保持部識別番号の「００１」に対する用途情報として、それまでとは変更して「キンコ  トビラ」を入力したり、鍵・保持部識別番号の「００２」に対する用途情報として、それまでとは変更して「ＡＴＭ１ゴウキ  トビラ」を入力したり、鍵・保持部識別番号の「００３」に対する用途情報として、それまでとは変更して「ＡＴＭ１ゴウキ  シュウノウコＡ  カギ」を入力したり、鍵・保持部識別番号の「００４」に対する用途情報として、それまでとは変更して「ＡＴＭ１ゴウキ  カイシュウコ  カギ」を入力したりする。このように入力が行われると、制御部５５は、この入力時に選択指定された鍵・保持部識別番号に対して、この用途情報を関連付けて記憶部５６に記憶させる。つまり、制御部５５は、操作ボタン５１あるいは操作部２１への鍵保持部３１の選択指定を受け付けると、当該選択指定された鍵保持部３１の鍵・保持部識別番号と、当該選択指定に関連して操作部２１によって入力された用途情報とを関連付けて記憶部５６に記憶させる。
【００６７】
用途情報の入力が完了した旨の操作入力が操作部２１に入力されると、制御部５５は、鍵１０の付け替えを促す画面を表示部２２に表示させるとともに、収納部３４に対して設けられた操作ボタン９４の表示ランプ９３を点滅させる。これを見て、担当者は、操作ボタン９４を押圧操作することになる。すると、制御部５５は、表示ランプ９３を点滅から点灯に切り替えるとともに、扉ロック機構９１を駆動して収納部３４の開閉扉９０のロックを解除する。その後、担当者は、収納部３４の開閉扉９０を開いて解除具８１を取り出す。このように、制御部５５は、ＩＤカード２３の担当者識別番号および入力された暗証番号の認証結果に基づいて解除具８１へのアクセスを許諾する。なお、開閉扉９０を開くと、閉検出センサ９２がこれを検出することになり、その時点で制御部５５は、その時刻を、上記した付替状況データの解除具８１の解除具取出時刻として記憶部５６に記憶させる。
【００６８】
そして、担当者は、取り出した解除具８１を、図６に示す二カ所の延出部８３が、図４に示す当接面７５側に位置する姿勢とし、二カ所の係合爪８５の押圧部８４を、ロック状態にあるロック体６３の二カ所の溝部７８に挿入し、基板部８２を鍵ホルダ１１の側面に当接させる。この状態で、図５（ａ）に示すように、解除具８１をロック体６３とともに、二カ所の延出部８３がスリット７０の当接面７５とは反対側の端部に当接するまで付勢バネ６４の付勢力に抗してスライドさせて、ロック解除状態とする。そして、このロック解除状態を維持しながら、図５（ｂ）に示すように、キーコードリング６２を回動させて切欠部７２を外部に露出させ、それまで取り付けられていた古い鍵１０を外して新しい鍵１０を取り付ける付け替えを行う。
【００６９】
なお、解除具８１の基板部８２を鍵ホルダ１１の側面に当接させると、基板部８２に設けられた図６に示すＩＣタグリーダ８７が図３に示す鍵ホルダ１１のＩＣタグ４３から鍵・保持部識別番号を読み取ることになり、制御部５５は、この鍵・保持部識別番号が、選択指定された鍵保持部３１の鍵・保持部識別番号と一致する場合、その時刻を、この鍵・保持部識別番号における付替状況データの付替時刻として記憶部５６に記憶させる。鍵・保持部識別番号が一致しない場合は、ブザー２６による報知音および表示部２２へのアラーム表示（正しい操作を誘導する表示を含む）等のアラームを発生させ、鍵・保持部識別番号が一致するまで待機する。
【００７０】
切欠部７２を介して鍵１０を付け替えると、担当者は、解除具８１への押圧を解除するとともに、キーコードリング６２を回動させて切欠部７２を鍵ホルダ１１内に配置し、切欠部７２の位置をロック体６３に合わせる。すると、ロック体６３が解除具８１とともに付勢バネ６４の付勢力で移動して当接面７５に当接して停止する。この状態で、担当者は、解除具８１を鍵ホルダ１１から外す。
【００７１】
そして、担当者は、鍵ホルダ１１の鍵識別表記部４４と同じ表記の保持部識別表記部５３を有する鍵保持部３１のキーホルダ装着穴４５に、鍵１０の付け替えが終わった鍵ホルダ１１を挿入することになる。すると、鍵保持部３１は、ＩＣタグリーダ５２が鍵ホルダ１１のＩＣタグ４３と通信して鍵・保持部識別番号を読み出すことになり、この鍵・保持部識別番号と、この鍵・保持部識別番号を検出したＩＣタグリーダ５２を有する鍵保持部３１の鍵・保持部識別番号とが一致していれば、鍵ロック機構４６で鍵ホルダ１１をロックするとともにこの鍵保持部３１に対して設けられた操作ボタン５１の表示ランプ５０を点滅させる。鍵・保持部識別番号が一致しない場合はロックせずに、ブザー２６による報知音および表示部２２へのアラーム表示（正しい操作を誘導する表示を含む）等を発生させ、鍵・保持部識別番号が一致するまで待機する。なお、鍵・保持部識別番号が一致すると、制御部５５は、その時刻を、上記した付替状況データの再取付時刻として記憶部５６に記憶させる。
【００７２】
このような、鍵保持部３１の操作ボタン５１の選択指定のステップ、用途情報の入力のステップ、選択指定された鍵保持部３１の鍵・保持部識別番号および用途情報の関連付け記憶のステップ、鍵ホルダ１１のＩＣタグ４３からのＩＣタグリーダ８７による鍵・保持部識別番号の検出および鍵・保持部識別番号の一致確認のステップ、鍵ホルダ１１のＩＣタグ４３からのＩＣタグリーダ５２による鍵・保持部識別番号の検出および鍵・保持部識別番号の一致確認のステップを、鍵１０の数分行う。その最中に、記憶部５６に記憶された基準のステップデータと比較することにより、例えば、閉検出センサ９２による開閉扉９０の開検出のステップの前や、鍵ホルダ１１のＩＣタグ４３からのＩＣタグリーダ８７による鍵・保持部識別番号の検出のステップの前に、鍵ホルダ１１のＩＣタグ４３からのＩＣタグリーダ５２による鍵・保持部識別番号の検出のステップが行われる等、ステップの順序に誤りがあると、制御部５５は、ブザー２６による報知音および表示部２２へのアラーム表示（正しい操作を誘導する表示を含む）等を発生させる。
【００７３】
鍵１０の付け替えが完了すると、担当者は、通信線８８とともに解除具８１を収納部３４に収納して、開閉扉９０を閉じる。すると、閉検出センサ９２がこれを検出することになり、制御部５５は、扉ロック機構９１により開閉扉９０を閉状態でロックするとともに、表示部２２に、カバー１６を閉じる操作を促す表示を行う。すると、担当者は、カバー１６を閉じる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、カバーロック機構３５が自動的にカバー１６を閉状態でロックして交換モードを終了する。この場合も、検出突起部１９を閉検出センサ３７が検出した状態で操作部２１にロック操作が入力されるとカバーロック機構３５がカバー１６を閉状態でロックするようにしても良い。
【００７４】
なお、閉検出センサ９２が開閉扉９０の閉状態を検出すると、制御部５５は、その時刻を、上記した付替状況データの解除具収納時刻として記憶部５６に記憶させることになる。この場合も、記憶部５６に記憶された基準のステップデータと比較することにより、例えば、閉検出センサ９２による開閉扉９０の開検出のステップの前や、鍵ホルダ１１のＩＣタグ４３からのＩＣタグリーダ８７による鍵・保持部識別番号の検出のステップの前、さらには鍵ホルダ１１のＩＣタグ４３からのＩＣタグリーダ５２による鍵・保持部識別番号の再検出のステップが行われる前に、閉検出センサ３７が検出突起部１９つまりカバー１６の閉状態を検出する等、ステップの順序に誤りがあると、制御部５５は、ブザー２６による報知音および表示部２２へのアラーム表示（正しい操作を誘導する表示を含む）等を発生させる。
【００７５】
以上により、制御部５５は、操作ボタン５１の表示ランプ５０で案内した鍵保持部３１に保持された鍵ホルダ１１が装置本体１２から取り外されるステップと、開閉扉９０が開状態となり解除具８１にアクセスされるステップと、当該取り外された鍵ホルダ１１が装置本体１２に再装着されるステップと、ＩＣタグリーダ８７がＩＣタグ４３から鍵・保持部識別番号を読み取るステップとを確認する。そして、制御部５５は、ステップの予め記憶部５６に登録された所定の順序と、ステップの実際の操作の際に進行した順序との一致確認を行い、当該一致確認結果についての報知を行う。
【００７６】
なお、交換モードにて、交換可能な鍵・保持部識別番号を有する鍵保持部３１のロックを操作ボタン５１で解除可能とする際に、収納部３４の開閉扉９０のロックを操作ボタン９４で操作可能とするようにして、鍵１０の付け替え後、対象となる鍵保持部３１のキーホルダ装着穴４５に鍵ホルダ１１を挿入しＩＣタグリーダ５２が鍵ホルダ１１のＩＣタグ４３と通信して鍵・保持部識別番号の一致を確認してから、この鍵・保持部識別番号に対応する用途情報の操作部２１への入力を行うようにしても良い。
【００７７】
「新規登録モード」
新規登録モードでは、制御部５５が、新規登録モードを実行する特定の権限を付与された担当者識別番号および暗証番号が入力された場合に限り、カバーロック機構３５を駆動してカバー１６のロックを解除する以外は、交換モードとほぼ同様である。
【００７８】
「ログ出力モード」
ログ出力モードについて説明する。カードリーダ２４にＩＤカード２３が走査された後、ログ出力モードが選択され、鍵１０の管理許可のために設定された暗証番号が操作部２１に入力される。すると、制御部５５は、カードリーダ２４で読み取ったＩＤカード２３の担当者識別番号および操作部２１に入力された暗証番号を記憶部５６に記憶されたデータと照合することで担当者識別番号および暗証番号がログ出力モードを実行するにあたって適正であるか否かを判定する。適正である場合、制御部５５は、記憶部５６に記憶されている上記した記憶用ログデータを読み出し、この記憶用ログデータを構成する各持出状況データおよび各付替状況データにある鍵・保持部識別番号（つまり選択指定を受け付けた鍵保持部３１の鍵・保持部識別番号）のそれぞれについて、関連する用途情報を記憶部５６から読み出して、各持出状況データおよび付替状況データの中にそれぞれ対応する用途情報を含ませる。
【００７９】
このようにして、それぞれが用途情報を含む持出状況データおよび付替状況データが時系列的に並べられた図９に示すような出力用ログデータ（用途情報を含むログ情報）を作成する。図９に示す出力用ログデータの一例においては、「２０１２／３／３」の日付の日に、「００１」の鍵・保持部識別番号の鍵保持部３１から「キンコ  トビラ」の鍵１０を、「７７７」の担当者識別番号の担当者が、「１０：１０」の持出時刻で持ち出し、「１０：２０」の返却時刻で返却したこと、「００２」の鍵・保持部識別番号の鍵保持部３１から「ＡＴＭ１ゴウキ  トビラ」の用途情報を有する鍵１０を、「７８９」の担当者識別番号の担当者が、「１０：１５」の持出時刻で持ち出し、「１０：２５」の返却時刻で返却したこと、「００３」の鍵・保持部識別番号の鍵保持部３１から「ＡＴＭ１ゴウキ  シュウノウコＡ  カギ」の用途情報を有する鍵１０を、「７８９」の担当者識別番号の担当者が、「１０：１６」の持出時刻で持ち出し、「１０：２６」の返却時刻で返却したこと、「００４」の鍵・保持部識別番号の鍵保持部３１から「ＡＴＭ１ゴウキ  カイシュウコ  カギ」の用途情報を有する鍵１０を、「７８９」の担当者識別番号の担当者が、「１０：１７」の持出時刻で持ち出し、「１０：２７」の返却時刻で返却したことを表している。
【００８０】
加えて、図９に示す出力用ログデータの一例においては、「０２１」の鍵・保持部識別番号の鍵保持部３１から、鍵１０の付いた鍵ホルダ１１を、「７１１」の担当者識別番号の担当者が、「１３：１５」の取外時刻で取り外し、「１３：１７」の付替時刻で鍵１０を付け替え、「１３：１８」の時刻で再取り付けを誤り、「１３：１９」の再取付時刻で適正に取り付けたこと、および、「キンコ  トビラ」に用途を変更したことを表している。さらには、「０００」の識別番号の収納部３４に対し、解除具８１を、「７１１」の担当者識別番号の担当者が、「１３：１６」の解除具取出時刻で取り出し、「１３：２０」の解除具収納時刻で収納したことを表している。つまり、制御部５５および記憶部５６は、操作の際に進行したステップの順序の確認状況を履歴として残す。その際に、間違えた手順についても履歴を残す。例えば、複数の鍵ホルダ１１を指定して鍵１０の付け替えを行った場合には、履歴から、何れの鍵ホルダ１１から順番に鍵１０の付け替えを行ったかについてもわかることになる。
【００８１】
ここで、出力用ログデータは、例えば、前回出力が行われた出力用ログデータに含まれる持出状況データおよび付替状況データよりも後に記憶された持出状況データおよび付替状況データからなるもの、出力する当日に記憶された持出状況データおよび付替状況データからなるもの、操作部２１へ指定入力された日付あるいは期間の日に記憶された持出状況データおよび付替状況データからなるもの等である。
【００８２】
そして、制御部５５は、このようにして作成した出力用ログデータをプリンタ部２５で用紙に出力させる。なお、出力用ログデータをプリンタ部２５で用紙に出力させるのではなく、別途のパーソナルコンピュータからなるデータ管理装置に出力して記憶させても良く、用紙への出力とデータ管理装置への記憶との両方を行っても良い。
【００８３】
なお、制御部５５は、上記のように操作部２１で出力操作を受け付けるとプリンタ部２５で出力用ログデータを出力させるのではなく、主電源がオンされた基準時点から、予め設定された所定の時間が経過したか否かを判断し、この所定の時間が経過したと判断した場合に、出力用ログデータを用紙あるいは別途のデータ管理装置に出力するようにしても良い。あるいは、前回出力用ログデータを出力した基準時点から、予め設定された所定の時間（例えば一週間）が経過したか否かを判断し、この所定の時間が経過したと判断した場合に、出力用ログデータを用紙あるいは別途のデータ管理装置に出力するようにしても良い。あるいは、制御部５５は、その時計機能を利用して、予め設定された所定の時刻となったか否かを判断し、所定の時刻になったと判断した場合に、出力用ログデータを用紙あるいは別途のデータ管理装置に出力するようにしても良い。さらには、これらを適宜組み合わせるようにしても良い。
【００８４】
以上に述べた第１実施形態の鍵管理装置１によれば、鍵ホルダ１１への鍵１０への付け替えおよび新規取付時には、操作部２１およびカードリーダ２４への入力に基づいて制御部５５が認証を行いその認証結果に基づいて解除具８１へのアクセスを許諾すると、解除具８１によって、鍵ホルダ１１の連結機構６１による鍵１０への連結状態を解除可能となり、この状態で鍵ホルダ１１の鍵１０が付け替えられることになる。このように、連結機構６１による鍵１０の連結を解除する専用の解除具８１を準備し、この解除具８１へのアクセスに認証を必要とすることで、特定の権限を付与された担当者のみに許諾することができ、よって、鍵１０の鍵ホルダ１１からの不正な抜き取りを防止することができる。また、認証結果に基づいて制御部５５が解除具８１へのアクセスを許諾すれば、解除具８１によって連結機構６１の連結状態を解除可能となるため、部材の破壊等を不要にできる。よって、鍵１０の付け替え作業の容易化および廃棄物の低減が可能となる。
【００８５】
また、操作ボタン５１によって、連結機構６１による鍵１０の連結状態を解除する対象の鍵ホルダ１１が指定されると、操作ボタン５１の表示ランプ５０が、点滅から点灯に変わって、指定された鍵ホルダ１１を案内することになる。その後、制御部５５が、案内した鍵ホルダ１１が装置本体１２から取り外されるステップと、解除具８１にアクセスされるステップと、取り外された鍵ホルダ１１が装置本体１２に再装着されるステップとを確認する。よって、鍵ホルダ１１の連結状態を解除する操作につき、より厳密な管理が可能になる。
【００８６】
また、制御部５５は、解除具８１に設けられたＩＣタグリーダ８７が、鍵ホルダ１１のＩＣタグ４３から鍵・保持部識別番号を読み取るステップを併せて確認するため、何れの鍵ホルダ１１の連結解除を行うかの鍵・保持部識別番号も、解除具８１によって解除を行う際に確認されるので、より厳密な管理が可能になる。
【００８７】
また、制御部５５が、各ステップの予め登録された所定の順序と各ステップの操作の際に進行した順序との一致確認を行い、この一致確認結果についての報知を行うことになるため、操作手順の間違いを報知することができる。
【００８８】
また、制御部５５が、ステップの操作の際に進行した順序の確認状況を履歴として記憶部５６に残すため、連結機構６１の解除に係るセキュリティをさらに高める効果がある。つまり、いつ、誰が、どの鍵ホルダ１１を対象に、交換あるいは新規登録の際に、どのように解除操作したかが詳細の履歴情報としてログに残り、参照も可能となる。
【００８９】
また、キーコードリング６２は、切欠部７２が鍵ホルダ１１の内部に位置してロック体６３に係合すると、鍵ホルダ１１とで鍵１０を取り外し不可に保持することになり、ロック体６３が解除具８１に係合してスライドさせられると、切欠部７２がロック体６３との係合が解除されて鍵ホルダ１１の外部に位置可能となって鍵１０の付け替えが可能となる。これにより、連結機構６１の構造が簡素になるとともに、連結および解除が容易となる。
【００９０】
また、ロック体６３に、解除具８１が係合する溝部７８が複数設けられているため、専用の解除具８１の構造を複雑化でき、解除具８１以外でのロック解除を良好に規制できる。なお、溝部７８および係合爪８５を増やせば増やすほど、解除具８１以外でのロック解除を良好に規制できる効果が高まる。
【００９１】
なお、以上の第１実施形態において、図１０に示すように、ロック体６３に、切欠部７２に係合した状態において鍵ホルダ１１の内部へ係止し解除具８１が溝部７８に係合した際に鍵ホルダ１１の内部への係止を解除する係止爪９８を設けても良い。これにより、ロック体６３が切欠部７２に係合した状態を強固に維持できるとともに、ロック体６３と鍵ホルダ１１の内部（つまり、収容空間６８）との係合も強固に維持できる。
【００９２】
次に、本発明に係る鍵管理装置の第２実施形態を主に図１１を参照して第１実施形態との相違部分を中心に以下に説明する。
【００９３】
第２実施形態では、連結機構（連結手段）６１が第１実施形態と一部相違している。第２実施形態の連結機構６１は、鍵ホルダ１１にスライド可能に設けられる矩形状のキーコードリング（スライド体）６２’を有しており、これに合わせて、鍵ホルダ１１には、収容空間６８の延在方向の一端側を上下両側に開口させる一直線の挿入穴６９’が形成されている。そして、キーコードリング６２’は、鍵ホルダ１１に対してスライド可能となるように直線状の挿入穴６９’に挿入されている。キーコードリング６２’は、矩形の一部を分断するように切欠部７２’を有する鉤状をなしている。
【００９４】
ロック体６３が、付勢バネ６４の付勢力でキーコードリング６２’の切欠部７２’内に入り込んで当接面７５に当接する状態では、キーコードリング６２’はロック体６３に係合することになり、ロック体６３でスライドが規制されることになる。このロック状態では、切欠部７２’が鍵ホルダ１１の内部に位置して鍵ホルダ１１から外部に露出することはない。
【００９５】
他方、ロック体６３が、付勢バネ６４の付勢力に抗して移動して当接面７５から所定距離離間すると、ロック体６３は、切欠部７２’から逃げ出ることになる。この状態では、キーコードリング６２’はロック体６３に対する係合が解除されることになり、ロック体６３でスライドが規制されることはない。よって、このロック解除状態では、キーコードリング６２’がスライドさせられることになり、その際に切欠部７２’の全部が鍵ホルダ１１の外部に位置して鍵ホルダ１１から外部に露出することが可能となる。つまり、キーコードリング６２’の切欠部７２’は、連結機構６１が鍵１０を連結する連結状態の解除時にロック体６３との係合が解除されて鍵ホルダ１１の外部に位置可能となる。
【００９６】
以上に述べた第２実施形態によれば、キーコードリング６２’は、切欠部７２’が鍵ホルダ１１の内部に位置してロック体６３に係合すると、鍵ホルダ１１とで鍵１０を取り外し不可に保持することになり、ロック体６３が解除具８１に係合してスライドさせられると、切欠部７２’がロック体６３との係合が解除されて鍵ホルダ１１の外部に位置可能となって鍵１０の付け替えが可能となる。これにより、連結機構６１の構造が簡素になるとともに、連結および解除が容易となる。
【００９７】
以上の第１，第２実施形態において、鍵管理装置１の制御部５５を、例えば鍵管理装置１が設置されている営業店とＬＡＮで連携される本店の管理ＰＣ（許諾管理手段）に通信可能に接続させて鍵管理システムを構築し、この管理ＰＣからの操作によって、鍵管理装置１の制御部５５による解除具８１へのアクセスの許諾の機能を設定可能としても良い。つまり、鍵管理装置１の制御部５５による解除具８１へのアクセスの許諾の有効・無効を操作入力により設定して、例えば誰であっても交換後一定期間は鍵１０の交換をできなくしたり、あるいは特定の権限を付与された担当者複数の中から一部のみが、交換後一定期間であっても鍵１０の交換を可能に選択したり等、顧客の運用形態に合わせた設定が可能となる。
【００９８】
また、第１，第２実施形態においては、解除具８１を収納するための専用の収納部３４を設ける場合を例にとり説明したが、鍵１０と同様に管理されるＩＤカードを収納する、装置本体１２の内部に別に設けられた図示略のカード収納部を解除具８１を収納するための収納部として用いても良い。あるいは、収納部３４をユニット化して鍵管理装置１の外面に取り付けたりすることも可能である。
【００９９】
また、第１，第２実施形態においては、解除具８１のＩＣタグリーダ８７を有線で制御部５５に通信する場合を例にとり説明したが、無線で制御部５５に通信するようにしても良い。
【符号の説明】
【０１００】
１  鍵管理装置
１０  鍵
１１  鍵ホルダ
１２  装置本体
２１  操作部（認証手段）
２２  表示部（報知手段）
２４  カードリーダ（認証手段）
２６  ブザー（報知手段）
４３  ＩＣタグ(記憶手段)
５０  表示ランプ（案内手段）
５１  操作ボタン（指定手段）
５５  制御部（認証手段，許諾手段，確認手段，報知手段，履歴管理手段）
５６  記憶部（履歴管理手段）
６１  連結機構（連結手段）
６２  キーコードリング（回動体）
６２’  キーコードリング（スライド体）
６３  ロック体
６４  付勢バネ（付勢体）
７２，７２’  切欠部
７８  溝部（係合部）
８１  解除具（解除手段）
８７  ＩＣタグリーダ（読取手段）
９８  係止爪
【図１】
0006046359.tif 000002
【図２】
0006046359.tif 000003
【図３】
0006046359.tif 000004
【図４】
0006046359.tif 000005
【図５】
0006046359.tif 000006
【図６】
0006046359.tif 000007
【図７】
0006046359.tif 000008
【図８】
0006046359.tif 000009
【図９】
0006046359.tif 000010
【図１０】
0006046359.tif 000011
【図１１】
0006046359.tif 000012